(57)【要約】【課題】エレベータのピット壁面に設けられ手動レバーの回動によりエレベータの運転を禁止する手動スイッチに対して、手動レバーに回動力を伝える。【解決手段】踏み板伝達装置１０は、作業員Ｓが通過するピット床面に配置される。作業員Ｓが上下動可能に保持された踏み板１４を踏むと、動作レバー２０は矢印Ａ方向へ回動し、動作レバー２０の後端部２０ｂは矢印Ｃ方向のほぼ水平方向に移動する。連結ケーブル２２は引っ張られ、手動スイッチ５６の手動レバー５８を下側、すなわち、エレベータの運転禁止側に回動させる。これにより、エレベータを運転禁止にすることができる。【選択図】図３
2005170565.tif 000002
【特許請求の範囲】
【請求項１】
エレベータのピット壁面に設けられ手動レバーの回動によりエレベータの運転を禁止する手動スイッチに対して、前記手動レバーに回動力を伝える踏み板伝達装置であって、
作業員が通過するピット床面に上下動可能に設けられる踏み板と、
前記踏み板の下降運動を手動スイッチの手動レバーの回動力として伝達する伝達機構と、
を備えることを特徴とする踏み板伝達装置。
【請求項２】
請求項１に記載の踏み板伝達装置であって、
前記伝達機構は、
前記踏み板の下側に配置され、前記踏み板の下降により回動する動作レバーと、
前記手動スイッチの手動レバーと前記動作レバーとを互いに連結し、前記踏み板の下降運動により手動レバーをエレベータの運転禁止側に回動させる連結ケーブルと、
を備えることを特徴とする踏み板伝達装置。
【請求項３】
請求項１に記載の踏み板伝達装置であって、
前記伝達機構は、前記手動スイッチの手動レバーと前記踏み板とを互いに連結し、踏み板の下降運動により手動レバーをエレベータの運転禁止側に回動させる連結ケーブルを備えることを特徴とする踏み板伝達装置。
【請求項４】
請求項１〜３のいずれか１項に記載の踏み板伝達装置であって、
前記踏み板の下側には、前記踏み板を上下動可能に保持するスプリングが設けられていることを特徴とする踏み板伝達装置。
【発明の詳細な説明】
【技術分野】
【０００１】
本発明は、踏み板伝達装置、特にエレベータのピット壁面に設けられ手動レバーの回動によりエレベータの運転を禁止する手動スイッチに対して、前記手動レバーに回動力を伝える踏み板伝達装置に関する。
【背景技術】
【０００２】
従来から、作業員がエレベータのピットに入り、エレベータのメンテナンスや定期点検のために作業を行う場合がある。図５は、エレベータのピット内の様子を示す図である。
【０００３】
図５に示すように、ピット５０は、エレベータかご５２が昇降する昇降路の下部に形成されており、このピット５０の壁面５４には、エレベータの運転を規制する手動スイッチ５６が設けられている。この手動スイッチ５６は、エレベータの運転を規制してピット５０内で作業する作業員Ｓの安全性を向上させるために設けられている。手動スイッチ５６には、図５に示すように、手動レバー５８が設けられており、例えばこの手動レバー５８が上側、すなわち、運転許容側にあるとエレベータの運転が許容され、手動レバー５８が下側、すなわち運転禁止側にあるとエレベータの運転が禁止される。エレベータの通常の運転においては、手動レバー５８は運転許容側にある。また、作業員Ｓがピット５０の床面６０に降りるためのピット昇降用タラップ６２が、ピット５０の壁面５４に設けられている。
【０００４】
このようなエレベータにおいて、作業員Ｓがピット５０内で作業を行う場合、最下階の乗場６４の乗場ドア（図示せず）を開けて、ピット５０内に進入し、ピット昇降用タラップ６２を使用してピット床面６０に降りる。作業員Ｓは、ピット昇降用タラップ６２を降りる途中で、手動スイッチ５６の手動レバー５８を下側、すなわち、運転禁止側に回動させて、エレベータの運転を禁止する。ピット５０内での作業が終了すると、作業員Ｓは、ピット昇降用タラップ６２を上る途中で、手動レバー５８を運転許容側に戻す。
【発明の開示】
【発明が解決しようとする課題】
【０００５】
このように、従来においては、手動スイッチ５６の切替は作業員Ｓの手動により行われている。従って、作業員Ｓが常に手動スイッチ５６の切替を意識しなければ、手動スイッチ５６の切替を忘れる可能性がある。
【０００６】
そこで本発明は、手動スイッチの手動レバーに対して回動力を伝達する踏み板伝達装置を提供することを目的とする。
【課題を解決するための手段】
【０００７】
本発明の踏み板伝達装置は、エレベータのピット壁面に設けられ手動レバーの回動によりエレベータの運転を禁止する手動スイッチに対して、手動レバーに回動力を伝える踏み板伝達装置であって、作業員が通過するピット床面に上下動可能に設けられる踏み板と、踏み板の下降運動を手動スイッチの手動レバーの回動力として伝達する伝達機構と、を備えることを特徴とする。
【０００８】
また、本発明の踏み板伝達装置において、伝達機構は、踏み板の下側に配置され、踏み板の下降により回動する動作レバーと、手動スイッチの手動レバーと動作レバーとを互いに連結し、踏み板の下降運動により手動レバーをエレベータの運転禁止側に回動させる連結ケーブルと、を備えることを特徴とする。
【０００９】
更に、本発明の踏み板伝達装置において、伝達機構は、手動スイッチの手動レバーと踏み板とを互いに連結し、踏み板の下降運動により手動レバーをエレベータの運転禁止側に回動させる連結ケーブルを備えることを特徴とする。
【００１０】
更に、本発明の踏み板伝達装置において、踏み板の下側には、踏み板を上下動可能に保持するスプリングが設けられていることを特徴とする。
【発明の効果】
【００１１】
本発明によれば、作業員のピットへの進入動作の中で手動スイッチの手動レバーに対して回動力を与えることができるので、手動スイッチの切替をすることができる。
【発明を実施するための最良の形態】
【００１２】
以下、本発明を実施するための形態（以下、実施形態という）について、図面を参照し説明する。なお、従来例と同じ構成要素には同一の符号を付し、その説明を省略する。
【００１３】
実施形態１
図１は、本実施形態の踏み板伝達装置の概略構成を示す図であり、図２は、踏み板伝達装置の構成図である。
【００１４】
図１に示すように、踏み板伝達装置１０は、作業員Ｓが通過するピット床面６０に配置される。この踏み板伝達装置１０は、ピット５０内に進入した作業員Ｓに踏まれて、壁面５４に設けられた手動スイッチ５６の手動レバー５８をエレベータの運転禁止側に回動し、エレベータの運転を禁止する。以下、本実施形態の踏み板伝達装置１０の構成について説明する。
【００１５】
本実施形態の踏み板伝達装置１０は、図２に示すように、ピット床面６０に配置され基板となる固定板１２と、固定板１２の上方に配置される踏み板１４と、固定板１２と踏み板１４の間に配置され、踏み板１４を上下動可能に保持するスプリング１６と、を備えている。更に、踏み板１４の下降運動を手動スイッチ５６の手動レバー５８の回動力として伝達する伝達機構１８が備えられ、この伝達機構１８は、踏み板１４の下降により回動する動作レバー２０と、動作レバー２０と手動スイッチ５６の手動レバー５８とを連結する連結ケーブル２２と、を有している。
【００１６】
固定板１２は、大略四角形の形状をしており、例えば公知の方法でピット床面６０に固定される。この固定板１２には、後述するように、スプリング１６や動作レバー２０が配置される。
【００１７】
踏み板１４は、固定板１２とほぼ同じ大きさで構成され、固定板１２、言い換えると、ピット床面６０に対して上下動可能に設置される。本実施形態においては、固定板１２に対して垂直方向に伸縮するスプリング１６を固定板１２の四隅に設け、踏み板１４は、これらスプリング１６上に設置され上下動可能に保持されている。これにより、踏み板１４に所定の力が加わると、スプリング１６が縮み、踏み板１４は、下降運動をすることができる。加えられた力が解除されるとスプリング１６が伸び、踏み板１４は、スプリング１６の復帰力により当初の位置に戻される。なお、踏み板１４の上面は、力が加わらない状態でピット床面６０と面位置になるように設定するとよい（図１参照）。
【００１８】
動作レバー２０は、基台２４に回動可能に支持され、基台２４の支点２４ａを中心に矢印方向に回動可能となっている。この基台２４は固定板１２のほぼ中央に固定される。本実施形態において、動作レバー２０は、支点２４ａで屈曲した形状をしている。従って、動作レバー２０の先端部２０ａが踏み板１４に押し下げられ回動すると、その後端部２０ｂは、固定板１２の面（ピット床面６０）に対してほぼ水平に移動する。なお、動作レバー２０は、通常バネ等（図示せず）で図２で示す位置に保持されている。
【００１９】
連結ケーブル２２は、その一端が動作レバー２０の後端部２０ｂに固定され、他端が手動スイッチ５６の手動レバー５８に固定され、動作レバー２０と手動スイッチ５６の手動レバーを相互に連結する。本実施形態において、連結ケーブル２２の経路を形成し、その動きをガイドする中空のガイドケーブル２６が設けられている。ガイドケーブル２６は、固定板１２上を這わされ、ピット昇降用タラップ６２とピット５０の壁面５４間で、壁面５４に沿って配置され、連結ケーブル２２はこのガイドケーブル２６に通されている。
【００２０】
ここで、伝達機構１８の作用について説明する。図３は、伝達機構１８の動きを模式的に示した図である。
【００２１】
踏み板１４が下降すると、動作レバー２０の先端部２０ａは矢印Ａ方向に回動し、動作レバー２０の後端部２０ｂは矢印Ｃ方向にほぼ水平に（図中、右方向から左方向へ）移動する。これにより、後端部２０ｂに接続された連結ケーブル２２は、矢印Ｃ方向に引っ張られる。この引っ張り力は、手動スイッチ５６の手動レバー５８に伝達され、手動レバー５８は、図３の点線で示されている様に、下側すなわち、運転禁止側に回動する。これにより、エレベータを運転禁止にすることができる。
【００２２】
踏み板１４に加えられた力が解除されると、動作レバー２０は、バネ等（図示せず）で矢印Ｂ方向に元の位置に復帰する。
【００２３】
なお、連結ケーブル２２は、上述したように動作レバー２０の回動に従って引っ張られ、手動レバー５８を下側すなわち、運転禁止側に引っ張ることを目的としている。本実施形態においては、ガイドケーブル２６を用いてこの目的を実現しているが、連結ケーブル２２は、手動レバー５８を引っ張るためにその長さや配置経路が任意に調整することができる。
【００２４】
踏み板伝達装置１０は、作業員Ｓが通過するピット床面６０に設置されている。作業員Ｓのピット５０内への進入動作の中で自然に踏み板１４を踏むことができるからである。従って、本実施形態の図１，２に示すように、ピット昇降用タラップ６２がある場合には、その昇降位置に配置することが好ましく、例えばピット昇降用タラップ６２がない場合には、作業員Ｓが通過するピット床面６０に配置すればよい。また、踏み板伝達装置１０の大きさは、作業員Ｓが踏むために十分な大きさであれば良く、作業員Ｓの片足又は両足が載る大きさであっても良いし、ピット床面６０全部を覆うような大きさであっても良い。
【００２５】
次に、図１〜図３を参照し踏み板伝達装置１０の作用について説明する。
【００２６】
エレベータのメンテナンスや定期点検時、作業員Ｓは、エレベータの乗場ドアからピット５０内に進入する。このとき、手動スイッチ５６の手動レバー５８は、図３の実線で示すように、上側、すなわち、エレベータの運転許容側にある。作業員Ｓは、ピット昇降用タラップ６２を降り、ピット床面６０に設けられた踏み板伝達装置１０の踏み板１４に降りる。このように、本実施形態においては、踏み板伝達装置１０は作業員Ｓの通路に設置されているので、作業員Ｓは、自然に踏み板１４を踏むことが可能になる。作業員Ｓが踏み板１４を踏むと、図３に示すように、動作レバー２０の先端部２０ａは矢印Ａ方向へ回動し、動作レバー２０の後端部２０ｂは矢印Ｃ方向にほぼ水平に移動する。これにより、連結ケーブル２２は引っ張られ、手動スイッチ５６の手動レバー５８を下側、すなわち、エレベータの運転禁止側に回動させる（図３では点線で示す）。これにより、エレベータを運転禁止にすることができる。
【００２７】
エレベータのメンテナンスや定期点検が終了し、作業員Ｓが踏み板１４から離れると、動作レバー２０はバネ等（図示せず）により矢印Ｂ方向に回動し元に位置に戻され、踏み板１４もスプリング１６により元の位置に戻される。作業員Ｓは、ピット昇降用タラップ６２を上り、手動スイッチ５６の手動レバー５８を上側、すなわち、エレベータの運転許容側に回し、エレベータの運転を許容する。また、踏み板伝達装置１０は元の状態に戻されれているので、再度作業員Ｓがピット５０に進入した場合に、踏み板伝達装置１０は作動することができる。
【００２８】
実施形態２
図４は、本実施形態の全体構成を示す図である。本実施形態において、従来例及び実施形態１と同様の構成要素には同様の符号を付してその説明を省略する。
【００２９】
実施形態２の踏み板伝達装置３０は、実施形態１の動作レバー２０を設けない点が異なる。すなわち、本実施形態においては、連結ケーブル２２の一端が踏み板１４に連結されて、他端が手動レバー５８に連結されている。これにより、踏み板１４が踏まれると、踏み板１４の下降運動の下への移動量だけ連結ケーブル２２を引っ張ることができ、連結ケーブル２２は、手動スイッチ５６の手動レバー５８を下側の運転禁止側に回動させることができる。これにより、エレベータを運転を禁止することができる。このように、本実施形態によれば、実施形態１より簡易な構成により、手動レバー５８を切り替えることができる。なお、他の構成、作用については実施形態１と同様であるので、ここでの詳細な説明は省略する。
【図面の簡単な説明】
【００３０】
【図１】実施形態１の踏み板伝達装置の概略構成を示す図である。
【図２】踏み板伝達装置の構成図である。
【図３】踏み板伝達装置の作用を模式的に示した図である。
【図４】実施形態２の踏み板伝達装置の側面図である。
【図５】エレベータのピット内の様子を示す図である。
【符号の説明】
【００３１】
１０  踏み板伝達装置、１２  固定板、１４  踏み板、１６  スプリング、１８  伝達機構、２０  動作レバー、２２  連結ケーブル、２４  基台、２６  ガイドケーブル、５０  ピット、５２  エレベータかご、５４  ピットの壁面、５６  手動スイッチ、５８  手動レバー、６０  ピット床面、６２  ピット昇降用タラップ、６４  乗場、Ｓ  作業員。
【図１】
2005170565.tif 000003
【図２】
2005170565.tif 000004
【図３】
2005170565.tif 000005
【図４】
2005170565.tif 000006
【図５】
2005170565.tif 000007